(57)【要約】【課題】  電解液タンク内での炭酸カリウムの沈殿を解消し、炭酸カリウムの沈殿に起因する不都合を防止する。【解決手段】  本発明の電解イオン水生成方法では、電解液タンク内の電解液を撹拌したのち、当該撹拌後の電解液を電気分解し、その電気分解によって生じる陽イオンを原水に還元させて電解イオン水を生成するようにした。本発明の電解イオン水生成装置では、電解液タンク内の電解液を撹拌する撹拌手段を設けて、電解液タンク内の電解液を撹拌できるようにした。【選択図】図１
2020000973.tif 000002
【特許請求の範囲】
【請求項１】
イオン交換膜と、当該イオン交換膜で仕切られた陰極室及び陽極室と、当該陰極室に鉛直向きに設けられた陰極板と、当該陽極室に鉛直向きに設けられた陽極板を備えた電解槽の両極板間に電圧を印加し、電気分解によって前記陽極室に生じる陽イオンを前記陰極室内の原水に還元させることによって電解イオン水を生成する電解イオン水生成方法において、
前記電解液タンク内の電解液を撹拌し、
前記撹拌後の電解液を電気分解して、当該電気分解によって前記陽極室に生じた陽イオンを前記陰極室内の原水に還元させることによって電解イオン水を生成する、
ことを特徴とする電解イオン水生成方法。
【請求項２】
原水を貯留可能な生成タンクと、電解液を貯留可能な電解液タンクと、イオン交換膜で仕切られた陰極室及び陽極室を有する電解槽と、前記陰極室に設けられた陰極板及び前記陽極室に設けられた陽極板の両極板間に電圧を印加する直流電源を備え、前記直流電源で前記両極板間に電圧を印加し、電気分解によって前記陽極室に生じる陽イオンを前記陰極室内の原水に還元させることによって電解イオン水を生成する電解イオン水生成装置において、
前記電解液タンク内の電解液を撹拌する撹拌手段が設けられた、
ことを特徴とする電解イオン水生成装置。
【請求項３】
請求項２記載の電解イオン水生成装置において、
電解槽が生成タンク及び電解液タンクの外に設けられ、
前記電解槽の陰極室と前記生成タンクが原水循環手段によって接続され、
前記生成タンク内の原水は前記原水循環手段によって生成タンクと陰極室の間を循環可能であり、
前記電解槽の陽極室と前記電解液タンクが電解液循環手段によって接続され、
前記電解液タンク内の電解液は前記電解液循環手段によって電解液タンクと陰極室の間を循環可能である、
ことを特徴とする電解イオン水生成装置。
【請求項４】
請求項２記載の電解イオン水生成装置において、
電解槽と電解液タンクとが、当該電解槽の陽極室と当該電解液タンク内の電解液が接触可能な状態で接続されてユニット化され、
前記ユニット化された電解槽と電解液タンクが生成タンク外に設けられ、
前記電解槽の陰極室と前記生成タンクが原水循環手段によって接続され、
前記生成タンク内の原水は前記原水循環手段によって生成タンクと陰極室の間を循環可能である、
ことを特徴とする電解イオン水生成装置。
【請求項５】
請求項２記載の電解イオン水生成装置において、
電解槽と電解液タンクとが、当該電解槽の陽極室と当該電解液タンク内の電解液が接触可能な状態で接続されてユニット化され、
前記ユニット化された電解槽と電解液タンクが生成タンク内に設けられ、
前記生成タンク内の原水は、前記生成タンク内に設置された電解槽の陰極室内に浸入して当該電解槽内のイオン交換膜に接触可能である、
ことを特徴とする電解イオン水生成装置。
【発明の詳細な説明】
【技術分野】
【０００１】
本発明は、電解イオン水（アルカリイオン水やアルカリ性電解水とも称される）の生成方法及び生成装置に関する。
【背景技術】
【０００２】
従来、電解イオン水生成装置として、原水が貯留される生成タンクと、電解液が貯留される電解液タンクと、イオン交換が行われる電解槽と、電解槽の電極間に電圧を印加する直流電源を備えたものが知られている（特許文献１及び２）。前記電解槽は、イオン交換膜と当該イオン交換膜で仕切られた陰極室及び陽極室を備えている。陰極室には陰極側ターミナルを備えた陰極板が設けられ、陽極室には陽極側ターミナルを備えた陽極板が設けられている。陰極側ターミナルには直流電源のマイナス側が、陽極側ターミナルには直流電源のプラス側が接続され、両電極間に直流電圧を印加できるように構成されている。
【０００３】
前記電解イオン水生成装置では、直流電源によって両ターミナル間に直流電圧を印加すると電気分解が起こり、その電気分解によって陽極室内に生じる陽イオンがイオン交換膜を透過して陰極室内の原水に還元し、電解イオン水が生成される。
【先行技術文献】
【特許文献】
【０００４】
【特許文献１】特開２０１２−４０４８９号公報
【特許文献２】国際公開第２０１６／０１６９５４号
【発明の概要】
【発明が解決しようとする課題】
【０００５】
電解イオン水の生成に使用される電解液にはイオン性物質として炭酸カリウムが含まれている。炭酸カリウムは溶媒である水よりも比重が重いため、電解液タンクの底側に沈殿しやすい。炭酸カリウムが電解液タンクの底側に沈殿すると、電解液の濃度がばらつき、所望ｐＨ値の電解イオン水を安定的に生成できなくなるという不都合が生じる。
【０００６】
本発明は前記事情に鑑みてなされたものであり、その解決課題は、電解液タンク内での炭酸カリウムの沈殿を解消し、炭酸カリウムの沈殿に起因する前記不都合を防止することのできる電解イオン水生成方法及び電解イオン水生成装置を提供することにある。
【課題を解決するための手段】
【０００７】
［電解イオン水生成方法］
本発明の電解イオン水生成方法は、イオン交換膜と、当該イオン交換膜で仕切られた陰極室及び陽極室と、当該陰極室に鉛直向きに設けられた陰極板と、当該陽極室に鉛直向きに設けられた陽極板を備えた電解槽の両極板間に電圧を印加し、電気分解によって前記陽極室に生じる陽イオンを前記陰極室内の原水に還元させることによって電解イオン水を生成する方法であって、電解液タンク内の電解液を撹拌し、撹拌後の電解液を電気分解し、電気分解によって陽極室に生じた陽イオンを前記陰極室内の原水に還元させることによって電解イオン水を生成する方法である。
【０００８】
［電解イオン水生成装置］
本発明の電解イオン水生成装置は、原水を貯留可能な生成タンクと、電解液を貯留可能な電解液タンクと、イオン交換膜で仕切られた陰極室及び陽極室を有する電解槽と、前記陰極室に設けられた陰極板及び前記陽極室に設けられた陽極板の両極板間に電圧を印加する直流電源を備え、前記直流電源で前記両極板間に電圧を印加し、電気分解によって前記陽極室に生じる陽イオンを前記陰極室内の原水に還元させることによって電解イオン水を生成する装置であって、電解液タンク内の電解液を撹拌する撹拌手段が設けられたものである。
【発明の効果】
【０００９】
［電解イオン水生成方法］
本発明の電解イオン水生成方法は、電解液タンク内の電解液を撹拌するため、電解液タンク内での炭酸カリウムの沈殿が解消され、炭酸カリウムの沈殿に起因する不都合を防止することができる。
【００１０】
［電解イオン水生成装置］
本発明の電解イオン水生成装置は、電解液タンク内の電解液を撹拌する撹拌手段を備えており、その撹拌手段で電解液タンク内の電解液を撹拌することができるので、電解液タンク内での炭酸カリウムの沈殿が解消され、炭酸カリウムの沈殿に起因する不都合を防止することができる。
【図面の簡単な説明】
【００１１】
【図１】本発明の電解イオン水生成方法及び電解イオン水生成装置の第一の実施形態の説明図。
【図２】本発明の電解イオン水生成方法及び電解イオン水生成装置の第二の実施形態の説明図。
【図３】本発明の電解イオン水生成方法及び電解イオン水生成装置の第三の実施形態の説明図。
【図４】本発明の電解イオン水生成方法及び電解イオン水生成装置の第四の実施形態の説明図。
【図５】（ａ）本発明の電解イオン水生成装置の製品化の一例を示す説明図、（ｂ）は（ａ）の受け容器と電解液タンク内の電解液の水面の位置関係の説明図。
【発明を実施するための形態】
【００１２】
（電解イオン水生成装置の実施形態１）
本発明の電解イオン水生成装置の第一の実施形態を、図面を参照して説明する。この実施形態の電解イオン水生成装置は、いわゆる流動式の生成装置である。図１において、１は原水供給源Ａから供給される原水を貯留する生成タンク、２は溶媒にイオン性物質が溶け込んだ電解液（電解質水溶液）を貯留するための電解液タンク、３は電解液タンク２内の電解液を撹拌する撹拌手段、４は電気分解によって電解イオン水を生成する電解槽、５は原水が通過する陰極室、６は電解液が通過する陽極室、７は電気分解によって陽極室６内に生じる陽イオンを陰極室５側に通過させるイオン交換膜、８は直流電源である。本願において「撹拌」とは、その手段を問わず、電解液中の炭酸カリウムを電解液（溶媒）中に分散させて、電解液の濃度のばらつきを解消することを意味する。
【００１３】
一例として図１に示す生成タンク１は有底の円筒状容器である。生成タンク１の周壁には、原水供給源Ａから供給される原水を生成タンク１内に取り込む原水供給口１ａが設けられている。原水供給口１ａには一端側が原水供給源Ａに接続された原水供給路Ｒ１の他端側が接続され、原水供給源Ａから供給される原水が原水供給路Ｒ１を通って生成タンク１内に取り込まれるようにしてある。原水には、純水や水道水、地下水等を用いることができる。
【００１４】
生成タンク１の底面には生成タンク１内の原水を外部に排出する排出口１ｂが設けられている。排出口１ｂには一端側が陰極室５の入口５ａに接続された原水流路Ｒ２の他端側が接続されている。原水流路Ｒ２には原水循環ポンプＰ１が接続され、当該原水循環ポンプＰ１の動力によって、生成タンク１内の原水が陰極室５に供給されるようにしてある。
【００１５】
生成タンク１の周壁には、陰極室５を通過して生成された電解イオン水を生成タンク１内に取り込むための取込み口１ｃが設けられている。取込み口１ｃには陰極室５の出口５ｂに接続された帰還流路Ｒ３が接続されている。陰極室５を通過して生成された電解イオン水は、帰還流路Ｒ３を通って生成タンク１内に取り込まれるようにしてある。この実施形態では、原水流路Ｒ２、原水循環ポンプＰ１及び帰還流路Ｒ３によって、原水循環手段が構成されている。
【００１６】
生成タンク１内には、原水量を制御する原水量制御手段９が設けられている。この実施形態では、原水量制御手段９として、上下方向に間隔をあけて設けられた二つのフロートスイッチ（下段のフロートスイッチ９ａ及び上段のフロートスイッチ９ｂ）を用いている。両フロートスイッチ９ａ、９ｂの水位は、所望のｐＨ値の電解イオン水を生成するのに必要な原水量に合わせて適宜設定することができる。一例として、この実施形態では、下段のフロートスイッチ９ａを、ｐＨ１３．１の電解イオン水の生成に必要な原水量の水位に設定してあり、上段のフロートスイッチ９ｂを、ｐＨ１２．５の電解イオン水の生成に必要な原水量の水位に設定してある。
【００１７】
この実施形態では、ｐＨ１２．５の電解イオン水を生成する場合には、上段のフロートスイッチ９ｂだけが動作し、下段のフロートスイッチ９ａは動作しないようにしてある。生成タンク１内の原水が上段のフロートスイッチ９ｂに到達すると、生成タンク１への原水の供給が自動的に停止するようにしてある。他方、ｐＨ１３．１の電解イオン水を生成する場合には、下段のフロートスイッチ９ａが動作するようにしてある。生成タンク１内の原水が下段のフロートスイッチ９ａに到達すると、生成タンク１への原水の供給が自動的に停止するようにしてある。
【００１８】
一例として図１に示す電解液タンク２は、生成タンク１よりも小径の有底の円筒状容器であり、生成タンク１の内側であって生成タンク１の同心円状に配置されている。電解液タンク２の底面には、電解液タンク２内の電解室水溶液を外部に排出する電解液排出口２ａが設けられている。電解液排出口２ａには前記電解槽４の陽極室６の入口６ａに接続された電解液流路Ｑ１が接続されている。電解液流路Ｑ１には電解液循環ポンプＰ２が接続され、電解液タンク２内の電解液が当該電解液循環ポンプＰ２の動力によって電解槽４の陽極室６に供給されるようにしてある。
【００１９】
電解液タンク２の周壁には、陽極室６を通過した電解液を電解液タンク２に帰還させるための電解液帰還口２ｂが設けられている。電解液帰還口２ｂには一端側が陽極室６の出口６ｂに接続された電解液帰還流路Ｑ２の他端側が接続されている。陽極室６を通過した電解液は、電解液帰還流路Ｑ２を通って電解液タンク２内に帰還するようにしてある。この実施形態では、電解液流路Ｑ１、電解液循環ポンプＰ２及び電解液帰還流路Ｑ２によって、電解液循環手段が構成されている。
【００２０】
一例として図１に示す撹拌手段３は、エアポンプ３ａとエア供給パイプ３ｂを備えている。エア供給パイプ３ｂは、一端側がエアポンプ３ａに接続され、他端側が電解液タンク２内に導入されている。エア供給パイプ３ｂの先端側（出口側）は、電解液タンク２の底面近くに位置するようにしてある。エア供給パイプ３ｂの先端側（出口側）を電解液タンク２の底面近くに位置するようにすることで、上昇するエアによって電解液を撹拌しやすくなり、炭酸カリウムの沈殿を防止しやすくなる。
【００２１】
一例として図１に示す電解槽４はイオン交換膜７によって区画された陰極室５と陽極室６を備えている。イオン交換膜７は原水及び電解液は通さず、陽イオンのみを通す性質を有する交換膜（陽イオン交換膜）である。イオン交換膜７には、旭硝子株式会社製の「セレミオン」（登録商標）や、デュポン株式会社製の交換膜等の既存のもののほか、新規のものを用いることもできる。イオン交換膜７の両外側には、絶縁性材料からなるメッシュ状のスペーサ１０が配置され、その外側に陰極板５ｘと陽極板６ｘが設けられている。スペーサ１０には、例えば、ナイロン製の５ｍｍ角のネット等を用いることができる。
【００２２】
前記陰極板５ｘには陰極ターミナル５ｙが、陽極板６ｘには陽極ターミナル６ｙが設けられている。陰極ターミナル５ｙには直流電源８のマイナス側が、陽極ターミナル６ｙには直流電源８のプラス側が接続され、直流電源８から直流電圧を印加できるようにしてある。
【００２３】
この実施形態の電解槽４は、その一部を構成する陰極板５ｘ及び陽極板６ｘの表面に空気だまりが発生しないよう、空気が抜けやすい向き、言い換えれば、気泡が浮上する向き（鉛直向き）に設置してある。電解槽４をこのような向きに設置すると、電気分解に際して発生する水素や二酸化炭素が上方に浮上し、陰極板５ｘや陽極板６ｘの表面に空気層が形成されることがない。その結果、陰極板５ｘや陽極板６ｘの表面に空気層が形成されることによって生じる弊害、具体的には、電気が流れずに電気分解が阻害されるという弊害が生じない。一方で、陰極板５ｘや陽極板６ｘを鉛直向き（縦向き）とした場合、炭酸カリウムが陽極板６ｘの下方側に沈殿し、炭酸カリウムの沈殿部分よりも上方側では電気分解が効率的に行われないという不都合が生じやすくなるが、本願では、電解液タンク２内の電解液を撹拌手段３で撹拌することで、このような不都合が生じないようにしてある。
【００２４】
この実施形態の電解イオン水生成装置では、生成タンク１内の原水は、原水流路Ｒ２−陰極室５−帰還流路Ｒ３−生成タンク１の経路を循環し、電解液タンク２内の電解液は、電解液流路Ｑ１−陽極室６−電解液帰還流路Ｑ２−電解液タンク２の経路を循環する。原水及び電解液の循環時に、両電極板（陰極板５ｘ及び陽極板６ｘ）間に直流電圧が印加されると電解液が電気分解され、その電気分解によって電解液タンク２内に生じる陽イオンがイオン交換膜７を透過して生成タンク１内の原水に還元して電解イオン水が生成される。この実施形態の電解イオン水生成装置内では、電解液タンク２内の電解液が撹拌手段３で撹拌され、濃度のばらつきが解消された電解液が循環するため、電極板（陰極板５ｘ及び陽極板６ｘ）の全面で電気分解が行われ、効率的かつ安定的に電解イオン水を生成することができる。
【００２５】
（電解イオン水生成装置の実施形態２）
本発明の電解イオン水生成装置の第二の実施形態を、図面を参照して説明する。実施形態１と同様、この実施形態の電解イオン水生成装置も流動式の生成装置である。この実施形態の基本的な構成は、前記実施形態１と同様である。異なるのは、生成タンク１と電解液タンク２を別々に設けたこと及び生成タンク１に供給する原水量制御手段９を原水供給源Ａと生成タンク１の間に設けたことである。以下では、実施形態１と共通する事項については適宜説明を省略し、それ以外の事項を中心に説明する。
【００２６】
この実施形態の生成タンク１は、原水を外部に排出する排出口１ｂ及び電解イオン水を生成タンク１内に取り込むための取込み口１ｃに加えて、生成された所望ｐＨの電解イオン水を外部に取り出す取出し口１ｄが設けられている。取出し口１ｄには、所望ｐＨの電解イオン水を外部に送り出す取出し流路Ｒ４が接続されている。この実施形態では、生成タンク１内に仕切り板１１が設けられている。仕切り板１１の下端は生成タンク１の底面に到達しないようにしてある。
【００２７】
この実施形態の原水量制御手段９は、原水供給源Ａに接続された第一主流路９ｖと、第一主流路９ｖに接続された第一分岐路９ｗ及び第二分岐路９ｘと、第一分岐路９ｗに設けられた第一電磁バルブ９ｙ及び第二電磁バルブ９ｚに設けられた第二電磁バルブ９ｚと、第一分岐路９ｗ及び第二分岐路９ｘが合流する原水供給路Ｒ１を備えている。第一分岐路９ｗと第二分岐路９ｘの時間当たりの供給量は異なる量に設定してある。一例として、第一分岐路９ｗは時間当たり５Ｌ（ｐＨ１３．１の電解イオン水を生成するのに必要な量）の原水を供給でき、第二分岐路９ｘは時間当たり２０Ｌ（ｐＨ１２．５の電解イオン水を生成するのに必要な量）の原水を供給できるようにしてある。第一分岐路９ｗは第一電磁バルブ９ｙによって、第二分岐路９ｘは第二電磁バルブ９ｚによって電気的に開閉されるようにしてある。
【００２８】
（電解イオン水生成装置の実施形態３）
本発明の電解イオン水生成装置の第三の実施形態を、図面を参照して説明する。実施形態１及び２と同様、この実施形態の電解イオン水生成装置も流動式の生成装置である。この実施形態の基本的な構成は、前記実施形態２と同様である。異なるのは、電解槽４が電解液タンク２の下側の開口部に連結されてユニット化されていることである。以下では、実施形態１及び２と共通する事項については適宜説明を省略し、それ以外の事項を中心に説明する。
【００２９】
この実施形態の電解液タンク２は上下に開口を備えた円筒状容器である。電解液タンク２の下方側の開口側には電解槽４が接続されてユニット化されている。電解液タンク２内の電解液は陽極室６に流入するようにしてある。この実施形態の電解液タンク２には、実施形態１及び２における電解液循環手段は設けられていない。
【００３０】
（電解イオン水生成装置の実施形態４）
本発明の電解イオン水生成装置の第四の実施形態を、図面を参照して説明する。この実施形態の電解イオン水生成装置は、いわゆる貯留式の生成装置である。この実施形態の基本的な構成は、前記実施形態３と同様である。異なるのは、ユニット化された電解液タンク２及び電解槽４が生成タンク１内に設けられていることである。以下では、実施形態３と共通する事項については適宜説明を省略し、それ以外の事項を中心に説明する。
【００３１】
この実施形態では、ユニット化された電解液タンク２及び電解槽４が生成タンク１内に配置されている。電解液タンク２及び電解槽４は、当該電解槽４の全体が生成タンク１の原水に浸るようにしてある。このとき、電解液タンク２の上方側は生成タンク１の原水の液面よりも上側に出るようにしてある。電解液タンク２内の電解液は、その液面が生成タンク１内の原水の液面よりも高い位置になるようにしてある。
【００３２】
この実施形態の電解イオン水生成装置は貯留式であり、実施形態１及び２における原水循環手段や電解液循環手段は設けられていない。
【００３３】
（電解イオン水生成装置のその他の実施形態）
前記実施形態１から４では、撹拌手段３としてエアポンプ３ａ及びエア供給パイプ３ｂを用いる場合を一例としているが、撹拌手段３には、エアによって電解液を撹拌するもののほか、撹拌羽根の回転力によって電解液を撹拌するものやポンプでの吸排力によって電解液を撹拌するものなど、エアポンプ３ａ及びエア供給パイプ３ｂ以外の各種のものを用いることができる。
【００３４】
前記実施形態１から４では、説明を省略しているが、原水供給路Ｒ１の上流側には、水道水に含まれるカルシウムやマグネシウムなどを除去する濾過装置を設けることができる。濾過装置には、例えば、５μｍメッシュのフィルタ、活性炭フィルタ（ＡＣフィルタ）、逆浸透膜（ＲＯ膜）フィルタ（ＲＯフィルタ）等を用いることができる。
【００３５】
前記いずれの実施形態で説明した電解イオン水生成装置の構成は、他の実施形態の電解イオン水生成装置の構成として、適宜採用することができる。
【００３６】
（電解イオン水生成装置の製品化例）
前記各実施形態の電解イオン水生成装置は、例えば、図５（ａ）（ｂ）に示すような形で製品化することができる。図５（ａ）（ｂ）において、１２はケーシング、１３は炭酸カリウムを投入するための投入口、１４は投入された炭酸カリウムを受ける受け容器、１５は投入口を開閉する開閉蓋、１６は生成された電解イオン水を取り出す取り出し路、１７は操作部である。図示は省略しているが、前記各実施形態で説明した生成タンク１や電解液タンク２、撹拌手段３、電解槽４等は、ケーシング１２に内蔵されている。
【００３７】
図５（ａ）（ｂ）に示す例において、投入口１３には椀状の受け容器１４が設けられている。受け容器１４は炭酸カリウムを入れる椀状部１４ａと椀状部１４ａの上縁に設けれたリング状の係止部１４ｂを備えている。椀状部１４ａは網目部材で構成されている。図５（ａ）（ｂ）に示す例では、椀状部１４ａの底部が電解液タンク２内に貯留された電解液に常時浸るようにしてある。このようにすることで、椀状部１４ａに投入された炭酸カリウムが徐々に電解液中に溶けだし、沈殿しにくくなるというメリットがある。図５（ａ）（ｂ）に示す製品化例は一例であり、これ以外の構成で製品化することもできる。
【００３８】
（電解イオン水生成方法の実施形態１）
本発明の電解イオン水生成方法の第一の実施形態を、前記電解イオン水生成装置の実施形態１の電解イオン水生成装置を用いる場合を一例として説明する。この実施形態では、生成タンク１に貯留された原水を、原水流路Ｒ２−陰極室５−帰還流路Ｒ３−生成タンク１の経路で循環させ、電解液タンク２内の電解液を、電解液流路Ｑ１−陽極室６−電解液帰還流路Ｑ２−電解液タンク２の経路で循環させる。直流電源８から陰極板５ｘと陽極板６ｘに電圧を印加して電解液を電気分解し、電気分解によって生じた陽イオンを、陰極室５を通過する原水に還元させることにより当該原水を電解イオン水にする。原水の循環、電解液の循環及び電気分解は、生成タンク１内の原水が所定ｐＨ値になるまで繰り返し行う。生成された電解イオン水は、取出し流路Ｒ４から生成タンク１外に排出することができる。この実施形態では、撹拌手段３によって、電解液タンク２内の電解液が撹拌されている（電解液の濃度のばらつきが解消されている）ため、電解イオン水を効率的に生成することができる。電解液の撹拌は、電解イオン水生成中は継続して行うことが望ましく、少なくとも、電解イオン水の生成前と生成中のいずれかにおいて行うことが望ましい。
【００３９】
（電解イオン水生成方法の実施形態２）
本発明の電解イオン水生成方法の第二の実施形態を、前記電解イオン水生成装置の実施形態２の電解イオン水生成装置を用いる場合を一例として説明する。前記実施形態１の電解イオン水生成装置を用いる場合と同様、この実施形態でも、生成タンク１に貯留された原水を、原水流路Ｒ２−陰極室５−帰還流路Ｒ３−生成タンク１の経路で循環させ、電解液タンク２内の電解液を、電解液流路Ｑ１−陽極室６−電解液帰還流路Ｑ２−電解液タンク２の経路で循環させる。直流電源８から陰極板５ｘと陽極板６ｘに電圧を印加して電解液を電気分解し、電気分解によって生じた陽イオンを、陰極室５を通過する原水に還元させることにより当該原水を電解イオン水にする。原水の循環、電解液の循環及び電気分解は、生成タンク１内の原水が所定ｐＨ値になるまで繰り返し行う。生成された電解イオン水は、取出し流路Ｒ４から生成タンク１外に排出することができる。この実施形態でも、撹拌手段３によって、電解液タンク２内の電解液が撹拌されている（電解液の濃度のばらつきが解消されている）ため、電解イオン水を効率的に生成することができる。前記実施形態１と同様、電解液の撹拌は、電解イオン水生成中は継続して行うことが望ましく、少なくとも、電解イオン水の生成前と生成中のいずれかにおいて行うことが望ましい。
【００４０】
（電解イオン水生成方法の実施形態３）
本発明の電解イオン水生成方法の第三の実施形態を、前記電解イオン水生成装置の実施形態３の電解イオン水生成装置を用いる場合を一例として説明する。この実施形態では、生成タンク１に貯留された原水を、原水流路Ｒ２−陰極室５−帰還流路Ｒ３−生成タンク１の経路で循環させ、電解液タンク２内の電解液を陽極室６内に流入させる。（この実施形態では、電解液タンク２と電解槽４はユニット化されているため、電解液タンク２内の電解液は常時陽極室６内に流入した状態である。）直流電源８から陰極板５ｘと陽極板６ｘに電圧を印加して電解液を電気分解し、電気分解によって生じた陽イオンを、陰極室５を通過する原水に還元させることにより当該原水を電解イオン水にする。原水の循環、電解液の循環及び電気分解は、生成タンク１内の原水が所定ｐＨ値になるまで繰り返し行う。生成された電解イオン水は、取出し流路Ｒ４から生成タンク１外に排出することができる。この実施形態でも、撹拌手段３によって、電解液タンク２内の電解液が撹拌されている（電解液の濃度のばらつきが解消されている）ため、電解イオン水を効率的に生成することができる。他の実施形態と同様、電解液の撹拌は、電解イオン水生成中は継続して行うことが望ましく、少なくとも、電解イオン水の生成前と生成中のいずれかにおいて行うことが望ましい。
【００４１】
（電解イオン水生成方法の実施形態４）
本発明の電解イオン水生成方法の第四の実施形態を、前記電解イオン水生成装置の実施形態４の電解イオン水生成装置を用いる場合を一例として説明する。この実施形態では、生成タンク１に貯留された原水を陰極室５内に流入させ、電解液タンク２内の電解液を陽極室６内に流入させる。（この実施形態では、ユニット化された電解液タンク２と電解槽４が生成タンク１の原水内に配置されているため、生成タンク１内の原水は常時陰極室５内に流入した状態である。また、電解液タンク２と電解槽４はユニット化されているため、電解液タンク２内の電解液は常時陽極室６内に流入した状態である。）直流電源８から陰極板５ｘと陽極板６ｘに電圧を印加して電解液を電気分解し、電気分解によって生じた陽イオンを、陰極室５を通過する原水に還元させることにより当該原水を電解イオン水にする。原水の循環、電解液の循環及び電気分解は、生成タンク１内の原水が所定ｐＨ値になるまで繰り返し行う。生成された電解イオン水は、取出し流路Ｒ４から生成タンク１外に排出することができる。この実施形態でも、撹拌手段３によって、電解液タンク２内の電解液が撹拌されている（電解液の濃度のばらつきが解消されている）ため、電解イオン水を効率的に生成することができる。他の実施形態と同様、電解液の撹拌は、電解イオン水生成中は継続して行うことが望ましく、少なくとも、電解イオン水の生成前と生成中のいずれかにおいて行うことが望ましい。
【００４２】
（電解イオン水生成方法のその他の実施形態）
前記実施形態１から４では説明を省略しているが、本発明の電解イオン水生成方法では、原水量を調整することによって、生成する電解イオン水のｐＨ値を調整することができる。例えば、ｐＨ１２．５を基準ｐＨ値とし、この基準ｐＨ値の電解イオン水の生成に必要な原水量を基準原水量とした場合、基準ｐＨ値よりもｐＨ値の高い電解イオン水を生成するには、基準原水量よりも少ない量の原水を使用し、基準ｐＨ値よりもｐＨ値の低い電解イオン水を生成するには、基準原水量よりも多い量の原水を使用すればよい。なお、原水量以外の条件は基準ｐＨ値の電解イオン水を生成する場合と同一であることを前提とする。
【００４３】
基準原水量と、基準ｐＨ値よりもｐＨ値の高い強アルカリイオン水を生成する場合に必要な原水量との関係は、次の式に基づいて求めることができる。この式は、ｐＨからアルカリ濃度を求める式であり、この式により求めた［ＯＨ−］（ｍｏｌ／Ｌ）、ＫＯＨ濃度（％）、アルカリ濃度比、生成タンクへの原水貯留量又は供給量の各数値は表１のようになる。
【００４４】
（式）
ｐＨ＝１４＋ｌｏｇ［ＯＨ−］
【００４５】
基準ｐＨ１２．５のとき、式より、
１２．５＝１４＋ｌｏｇ［ＯＨ−］
［ＯＨ−］＝１０１２．５−１４
＝０．０３１６ｍｏｌ／Ｌ
ＫＯＨ分子量  ５６．１ｇ／ｍｏｌであることから、
ＫＯＨ濃度＝０．０３１６ｍｏｌ／Ｌ  ×  ５６．１ｇ／ｍｏｌ
＝１．７７２ｇ／Ｌ
＝０．１７７２％
となる。
【００４６】
同様にして、ｐＨ１３．０、ｐＨ１３．１のときについても求めた。
ｐＨ１３．０のとき、式より、
１３．０＝１４＋ｌｏｇ［ＯＨ−］
［ＯＨ−］＝１０１３．0−１４
＝０．１０００ｍｏｌ／Ｌ
ＫＯＨ分子量  ５６．１ｇ／ｍｏｌであることから、
ＫＯＨ濃度＝０．１０００ｍｏｌ／Ｌ×５６．１ｇ／ｍｏｌ
＝５．６１０ｇ／Ｌ
＝０．５６１０％
となる。
【００４７】
ｐＨ１３．１のとき、式より、
１３．１＝１４＋ｌｏｇ［ＯＨ−］
［ＯＨ−］＝１０１３．１−１４
＝０．１２５９ｍｏｌ／Ｌ
ＫＯＨ分子量  ５６．１ｇ／ｍｏｌであることから、
ＫＯＨ濃度＝０．１２５９ｍｏｌ／Ｌ×５６．１ｇ／ｍｏｌ
＝７．０６３ｇ／Ｌ
＝０．７０６３％
となる。
【００４８】
ｐＨ１２．５のときのアルカリ濃度比を１としたとき、ｐＨ１３．０のときのアルカリ
濃度比は、ｐＨ１３．０のときの［ＯＨ−］＝０．１０００ｍｏｌ／ＬとｐＨ１２．５の
ときの［ＯＨ−］＝０．０３１６ｍｏｌ／Ｌより、０．１０００／０．０３１６＝３．１
６４５≒３．１６となる（表１）。
【００４９】
前記と同様に、ｐＨ１３．１のときのアルカリ濃度比は、ｐＨ１３．１のときの［ＯＨ
−］＝０．１２５９ｍｏｌ／ＬとｐＨ１２．５のときの［ＯＨ−］＝０．０３１６ｍｏｌ
／Ｌより、０．１２５９／０．０３１６＝３．９８４１≒３．９８となる（表１）。
【００５０】
ｐＨ１２．５のとき、アルカリ濃度比を１、生成タンク１に貯留又は供給される原水量
を２０Ｌとしたとき、ｐＨ１３．０のときはアルカリ濃度比が３．１６であることから、
生成タンク１に貯留又は供給される原水量は２０／３．１６＝６．３２９１≒６．３Ｌと
なる（表１）。
【００５１】
前記と同様に、ｐＨ１３．１のときはアルカリ濃度比が３．９８であることから、原水
タンク１に貯留又は供給される原水量は２０／３．９８＝５．０２５１≒５．０Ｌとなる
（表１）。
【００５２】
【表１】
2020000973.tif 000003
【００５３】
表１のとおり、基準ｐＨ値１２．５の電解イオン水を生成するときの基準原水量が２０リットル（Ｌ）の場合、ｐＨ値１３．０の電解イオン水を生成するときの原水量は６．３Ｌ、ｐＨ値１３．１の電解イオン水を生成するときの原水量は５Ｌにするとよいことがわかる。
【産業上の利用可能性】
【００５４】
本発明の電解イオン水生成方法及び電解イオン水生成装置は、電解イオン水、特に、ｐＨ１２．５以上の強アルカリイオン水の生成に好適に利用することができる。
【符号の説明】
【００５５】
１      生成タンク
１ａ    原水供給口
１ｂ    排出口
１ｃ    取込み口
１ｄ    取出し口
２      電解液タンク
２ａ    電解液排出口
２ｂ    電解液帰還口
３      撹拌手段
３ａ    エアポンプ
３ｂ    エア供給パイプ
４      電解槽
５      陰極室
５ａ    （陰極室の）入口
５ｂ    （陰極室の）出口
５ｘ    陰極板
５ｙ    陰極ターミナル
６      陽極室
６ａ    （陽極室の）入口
６ｂ    （陽極室の）出口
６ｘ    陽極板
６ｙ    陽極ターミナル
７      イオン交換膜
８      直流電源
９      原水量制御手段
９ａ    下段のフロートスイッチ
９ｂ    上段のフロートスイッチ
９ｖ    第一主流路
９ｗ    第一分岐路
９ｘ    第二分岐路
９ｙ    第一電磁バルブ
９ｚ    第二電磁バルブ
１０    スペーサ
１１    仕切り板
１２    ケーシング
１３    投入口
１４    受け容器
１４ａ  椀状部
１４ｂ  係止部
１５    開閉蓋
１６    取り出し路
１７    操作部
Ａ      原水供給源
Ｐ１    原水循環ポンプ
Ｐ２    電解液循環ポンプ
Ｑ１    電解液流路
Ｑ２    電解液帰還流路
Ｒ１    原水供給路
Ｒ２    原水流路
Ｒ３    帰還流路
Ｒ４    取出し流路
【図１】
2020000973.tif 000004
【図２】
2020000973.tif 000005
【図３】
2020000973.tif 000006
【図４】
2020000973.tif 000007
【図５】
2020000973.tif 000008
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
原水を貯留する生成タンクと、電解液を貯留する電解液タンクと、イオン交換膜で仕切られた陰極室及び陽極室を有する電解槽と、前記陰極室に鉛直向きに設けられた陰極板及び前記陽極室に鉛直向きに設けられた陽極板の両極板間に電圧を印加する直流電源とを備え、前記直流電源で前記両極板間に電圧を印加し、電気分解によって前記陽極室に生じる陽イオンを前記陰極室内の原水に還元させることによって電解イオン水を生成する電解イオン水生成方法において、
前記電解液タンクの上方に配置され、当該電解液タンク内の電解液に浸漬した網目部材からなる受け容器に炭酸カリウムを投入し、
前記電解液タンク内の前記炭酸カリウムを含む電解液を、当該電解液タンク内の底面側であって前記受け容器よりも下方に設けられた撹拌手段で撹拌し、
前記受け容器内の炭酸カリウムを前記電解液タンク内の電解液中に溶け出させ、
前記撹拌後の電解液を電気分解して、当該電気分解によって前記陽極室に生じた陽イオンを前記陰極室内の原水に還元させることによって電解イオン水を生成する、
ことを特徴とする電解イオン水生成方法。
【請求項２】
原水を貯留する生成タンクと、電解液を貯留する電解液タンクと、イオン交換膜で仕切られた陰極室及び陽極室を有する電解槽と、前記陰極室に鉛直向きに設けられた陰極板及び前記陽極室に鉛直向きに設けられた陽極板の両極板間に電圧を印加する直流電源を備え、前記直流電源で前記両極板間に電圧を印加し、電気分解によって前記陽極室に生じる陽イオンを前記陰極室内の原水に還元させることによって電解イオン水を生成する電解イオン水生成装置において、
前記生成タンク、電解液タンク、電解槽及び直流電源がケーシングに設けられ、
前記ケーシングは前記電解液タンクに連通する投入口を備え、
前記投入口に炭酸カリウムを受ける受け容器が設けられ、
前記受け容器は前記電解液タンク内の電解液が通過する網目部材からなる椀状部を備え、
前記受け容器は、前記椀状部が電解液タンク内に貯留された電解液に浸るように前記電解液タンクの上方に設けられ、
前記電解液タンク内の炭酸カリウムを含む電解液を撹拌する撹拌手段が、当該電解液タンク内の底面側であって前記受け容器よりも下方に設けられた、
ことを特徴とする電解イオン水生成装置。
【請求項３】
請求項２記載の電解イオン水生成装置において、
電解槽が生成タンク及び電解液タンクの外に設けられ、
前記電解槽の陰極室と前記生成タンクとが、前記生成タンク内の原水を当該生成タンクと陰極室の間で循環させる原水循環手段によって接続され、
前記電解槽の陽極室と前記電解液タンクとが、前記電解液タンク内の電解液を当該電解液タンクと陽極室の間で循環させる電解液循環手段によって接続された、
ことを特徴とする電解イオン水生成装置。
【請求項４】
請求項２記載の電解イオン水生成装置において、
電解液タンクは、その底側であって鉛直方向に交差する向きに開口する電解槽と接続するための開口部を備え、
前記電解槽は、その陽極室が前記開口部と対向するように前記開口部の外側に配置され、
前記電解液タンクと当該電解液タンクの開口部の外側に配置された電解槽とが接続され、
前記接続された電解槽と電解液タンクが生成タンク外に設けられ、
前記電解槽の陰極室と前記生成タンクとが、前記生成タンク内の原水を当該生成タンクと陰極室の間で循環させる原水循環手段によって接続された、
ことを特徴とする電解イオン水生成装置。
【請求項５】
請求項２記載の電解イオン水生成装置において、
電解液タンクは、その底側であって鉛直方向に交差する向きに開口する電解槽と接続するための開口部を備え、
前記電解槽は、その陽極室が前記開口部と対向するように前記開口部の外側に配置され、
前記電解液タンクと当該電解液タンクの開口部の外側に配置された電解槽とが接続され、
前記接続された電解槽と電解液タンクが生成タンク内に設けられ、
前記生成タンク内の原水は、前記生成タンク内に設置された電解槽の陰極室内に浸入して当該電解槽内のイオン交換膜に接触する、
ことを特徴とする電解イオン水生成装置。